【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）において、干渉ダウンリンク送信に関連付けられたパラメータを決定することと、前記パラメータは、前記ＵＥに前記干渉ダウンリンク送信からの干渉を除去することを可能にする、
前記ＵＥにおいて、前記パラメータに少なくとも部分的に基づいて、干渉データチャネル送信から前記ＵＥにおいて除去された干渉の量を反映するメトリックを決定することと、
前記ＵＥから、前記メトリックをｅノードＢに送信することと
を備える、方法。
【請求項２】
チャネル品質報告情報を受信することをさらに備え、前記チャネル品質報告情報は、前記メトリックを報告するためのサブフレームの第１のセットと、前記メトリックを報告するためのサブフレームの第２のセットとを含み、前記サブフレームの第１のセットおよび前記サブフレームの第２のセットは、異なる干渉プロファイルを有する、請求項１に記載の方法。
【請求項３】
前記サブフレームの第１のセットは、クリーンサブフレーム（clean subframes）であり、且つ前記サブフレームの第２のセットは、非クリーンサブフレームであるか、
前記サブフレームの第１のセットは、クリーンサブフレームであり、且つ前記サブフレームの第２のセットは、準クリーンサブフレームであるか、または
前記サブフレームの第１のセットは、非クリーンサブフレームであり、且つ前記サブフレームの第２のセットは、準クリーンサブフレームである、請求項２に記載の方法。
【請求項４】
前記メトリックは、準クリーンチャネル状態情報（ＣＳＩ）である、請求項１に記載の方法。
【請求項５】
前記準クリーンＣＳＩは、チャネル品質インジケータ（ＣＱＩ）、前記干渉ダウンリンク送信からの前記干渉の量、プリコーディングマトリックスインジケータ（ＰＭＩ）、ランク指示（ＲＩ）、サブバンドインデックス、またはそれらの組み合わせのうちの１つまたは複数を含む、請求項４に記載の方法。
【請求項６】
前記準クリーンＣＳＩは、複数の準クリーンＣＳＩセットを含み、各準クリーンＣＳＩセットは、パラメータの異なるセットに関連付けられる、請求項４に記載の方法。
【請求項７】
前記メトリックを送信することは、複数の報告インスタンスにおいて前記メトリックを報告することと、前記複数の報告インスタンスにわたって前記複数の準クリーンＣＳＩセットを周期的に繰り返すことをさらに備える、請求項６に記載の方法。
【請求項８】
前記メトリックは、干渉除去効率値である、請求項１に記載の方法。
【請求項９】
前記パラメータは、前記ｅノードＢから送信されるか、または前記ＵＥにおいて決定される、請求項１に記載の方法。
【請求項１０】
前記パラメータは、前記干渉データチャネル送信に関連付けられ、前記パラメータは、前記干渉データチャネル送信に関連付けられた実パラメータ、前記干渉データチャネル送信に関連付けられた前記実パラメータではない仮想パラメータ、またはそれらの組み合わせを含む、請求項９に記載方法。
【請求項１１】
前記メトリックは、前記パラメータが前記仮想パラメータである場合、仮想干渉除去に少なくとも部分的に基づいて間接的に決定され、
前記メトリックは、前記パラメータが前記実パラメータである場合、実際の干渉除去に少なくとも部分的に基づいて直接的に決定される、請求項１０に記載の方法。
【請求項１２】
ワイヤレス通信のために構成されたユーザ機器（ＵＥ）であって、
メモリと
前記メモリに結合された少なくとも１つのプロセッサと
を備え、
前記少なくとも１つのプロセッサは、
干渉ダウンリンク送信に関連付けられたパラメータを決定し、前記パラメータは、前記ＵＥに前記干渉ダウンリンク送信からの干渉を除去することを可能にする、
前記パラメータに少なくとも部分的に基づいて、干渉データチャネル送信から前記ＵＥにおいて除去された干渉の量を反映するメトリックを決定し、
前記メトリックをｅノードＢに送信する
ように構成される、ＵＥ。
【請求項１３】
前記少なくとも１つのプロセッサはさらに、チャネル品質報告情報を受信するように構成され、前記チャネル品質報告情報は、前記メトリックを報告するためのサブフレームの第１のセットと、前記メトリックを報告するためのサブフレームの第２のセットとを含み、前記サブフレームの第１のセットおよび前記サブフレームの第２のセットは、異なる干渉プロファイルを有する、請求項１２に記載のＵＥ。
【請求項１４】
前記サブフレームの第１のセットは、クリーンサブフレームであり、且つ前記サブフレームの第２のセットは、非クリーンサブフレームであるか、
前記サブフレームの第１のセットは、クリーンサブフレームであり、且つ前記サブフレームの第２のセットは、準クリーンサブフレームであるか、または
前記サブフレームの第１のセットは、非クリーンサブフレームであり、且つ前記サブフレームの第２のセットは、準クリーンサブフレームである、請求項１３に記載のＵＥ。
【請求項１５】
前記メトリックは、準クリーンチャネル状態情報（ＣＳＩ）である、請求項１２に記載のＵＥ。
【請求項１６】
前記準クリーンＣＳＩは、チャネル品質インジケータ（ＣＱＩ）、前記干渉ダウンリンク送信からの前記干渉の量、プリコーディングマトリックスインジケータ（ＰＭＩ）、ランク指示（ＲＩ）、サブバンドインデックス、またはそれらの組み合わせのうちの１つまたは複数を含む、請求項１５に記載のＵＥ。
【請求項１７】
前記準クリーンＣＳＩは、複数の準クリーンＣＳＩセットを含み、各準クリーンＣＳＩセットは、パラメータの異なるセットに関連付けられる、請求項１５に記載のＵＥ。
【請求項１８】
前記少なくとも１つのプロセッサは、複数の報告インスタンスにおいて前記メトリックを報告し、前記複数の報告インスタンスにわたって前記複数の準クリーンＣＳＩセットを周期的に繰り返すようにさらに構成される、請求項１７に記載のＵＥ。
【請求項１９】
前記メトリックは、干渉除去効率値である、請求項１２に記載のＵＥ。
【請求項２０】
前記パラメータは、前記ｅノードＢから送信されるか、または前記ＵＥにおいて決定される、請求項１２に記載のＵＥ。
【請求項２１】
前記パラメータは、前記干渉データチャネル送信に関連付けられ、前記パラメータは、前記干渉データチャネル送信に関連付けられた実パラメータ、前記干渉データチャネル送信に関連付けられた前記実パラメータではない仮想パラメータ、またはそれらの組み合わせを含む、請求項２０に記載のＵＥ。
【請求項２２】
前記少なくとも１つのプロセッサはさらに、
前記パラメータが前記仮想パラメータである場合、仮想干渉除去に少なくとも部分的に基づいて前記メトリックを間接的に決定し、
前記パラメータが前記実パラメータである場合、実際の干渉除去に少なくとも部分的に基づいて前記メトリックを直接的に決定する
ように構成される、請求項２１に記載のＵＥ。
【請求項２３】
ワイヤレス通信のためのユーザ機器（ＵＥ）であって、
干渉ダウンリンク送信に関連付けられたパラメータを決定するための手段と、前記パラメータは、前記ＵＥに前記干渉ダウンリンク送信からの干渉を除去することを可能にする、
前記パラメータに少なくとも部分的に基づいて、干渉データチャネル送信から前記ＵＥにおいて除去された干渉の量を反映するメトリックを決定するための手段と、
前記メトリックをｅノードＢに送信するための手段と
を備える、ＵＥ。
【請求項２４】
ワイヤレス通信のための、プログラムコードを記憶するコンピュータ読み取り可能な記憶媒体であって、
前記プログラムコードは、
ユーザ機器（ＵＥ）において、干渉ダウンリンク送信に関連付けられたパラメータを決定するためのプログラムコードと、前記パラメータは、前記ＵＥに前記干渉ダウンリンク送信からの干渉を除去することを可能にする、
前記ＵＥにおいて、前記パラメータに少なくとも部分的に基づいて、干渉データチャネル送信から前記ＵＥにおいて除去された干渉の量を反映するメトリックを決定するためのプログラムコードと、
前記メトリックをｅノードＢに送信するためのプログラムコードと
を備える、コンピュータ読み取り可能な記憶媒体。